【手続補正書】
【提出日】平成17年1月18日(2005.1.18)
【手続補正１】
【補正対象書類名】明細書
【補正対象項目名】特許請求の範囲
【補正方法】変更
【補正の内容】
【特許請求の範囲】
【請求項１】
装飾的建築用パネルであって、
ａ．基材、
ｂ．前記基材に接着された予め形成されたフルオロポリマーフィルムベース層、および
ｃ．装飾的でテキスチャのある表面をなすフルオロポリマーの少なくとも１種の不連続トップ層、
を含むことを特徴とするパネル。
【請求項２】
建築用パネルの表面をなす装飾的シートであって、
ａ．第１の色を有する予め形成されたフルオロポリマーフィルム着色ベース層、
ｂ．前記ベース層に接着され第２の色を有し装飾的斑点パターンを形成するフルオロポリマーの少なくとも１種の不連続着色トップ層、
を含むことを特徴とする装飾的シート。
【請求項３】
建築用パネルの表面をなす装飾的シートであって、
ａ．予め形成されたフルオロポリマーフィルムベース層、および
ｂ．装飾的でテキスチャのある表面を形成するフルオロポリマーの少なくとも１種の不連続トップ層、
を含むことを特徴とする装飾的シート。
【請求項４】
建築用パネルの表面をなす装飾的シート製造プロセスであって、
ａ．第１の色を有するフルオロポリマーフィルム連続着色ベース層を形成すること、
ｂ．前記ベース層に第２の色を有するフルオロポリマーフィルムの少なくとも１種の不連続着色トップ層を付けること、および
ｃ．前記トップ層に熱および圧力を加えて前記トップ層を前記ベース層に融着させて斑点パターンを有する装飾的シートを形成すること、
を含むことを特徴とするプロセス。
【請求項５】
建築用パネル製造プロセスであって、
ａ．フルオロポリマーフィルム連続ベース層を形成すること、
ｂ．前記ベース層にフルオロポリマーの少なくとも１種の不連続トップ層を付けること、
ｃ．前記トップ層に熱および圧力を加えて前記トップ層を前記ベース層に融着させること、および
ｄ．前記融着させた不連続トップ層を有する前記ベース層を基材に接着して装飾的でテキスチャのある建築用パネルを形成すること、
を含むことを特徴とするプロセス。
【請求項６】
建築用パネル製造プロセスであって、
ａ．フルオロポリマーフィルム連続ベース層を形成すること、
ｂ．前記ベース層を基材に接着してラミネート構造体を形成すること、
ｃ．前記ラミネート構造体の前記ベース層にフルオロポリマーの少なくとも１種の不連続トップ層を付けること、および
ｄ．前記トップ層を有する前記ラミネート構造体に熱および圧力を加えて前記トップ層を前記ベース層に融着させてテキスチャのある装飾的建築用パネルを形成すること、
を含むことを特徴とするプロセス。
【手続補正２】
【補正対象書類名】明細書
【補正対象項目名】００６０
【補正方法】変更
【補正の内容】
【００６０】
シートおよびパネル表面粗さは１１０〜２００マイクロインチ（２．８から５．１μｍ）の範囲にある。
本発明の好ましい態様を以下に示す。
１．  装飾的建築用パネルであって、
ａ．基材、
ｂ．前記基材に接着された予め形成されたフルオロポリマーフィルムベース層、および
ｃ．装飾的でテキスチャのある表面をなすフルオロポリマーの少なくとも１種の不連続トップ層、
を含むことを特徴とするパネル。
２．  フルオロポリマーフィルムベース層が第１の色で着色されているかまたは透明であり、またフルオロポリマーフィルム不連続トップ層が第２の色で着色されており、斑点パターンを有する装飾的でテキスチャのある表面を形成することを特徴とする１．に記載のパネル。
３．  前記テキスチャの表面がスリップしにくい表面を形成することを特徴とする１．に記載のパネル。
４．  前記不連続トップ層がフルオロポリマーフィルムのフレークからなることを特徴とする１．に記載のパネル。
５．  前記不連続トップ層がそれぞれ異なる色を有する複数のフルオロポリマーフィルムのフレークからなることを特徴とする４．に記載のパネル。
６．  基材が金属であることを特徴とする１．に記載のパネル。
７．  金属基材がスチールであることを特徴とする６．に記載のパネル。
８．  スチールが亜鉛または亜鉛アルミニウム合金でコートされていることを特徴とする７．に記載のパネル。
９．  金属基材がアルミニウムであることを特徴とする６．に記載のパネル。
１０．  金属ルーフィングを形成することを特徴とする６．に記載のパネル。
１１．  外壁パネルを形成することを特徴とする６．に記載のパネル。
１２．  全厚さが１０ミル（２５０μｍ）から４２ミル（１０７０μｍ）であることを特徴とする６．に記載のパネル。
１３．  基材がポリマーであることを特徴とする１．に記載のパネル。
１４．  フルオロポリマーがトリフルオロエチレン、ヘキサフルオロプロピレン、モノクロロトリフルオロエチレン、ジクロロジフルオロエチレン、テトラフルオロエチレン、ペルフルオロブチルエチレン、ペルフルオロ（アルキルビニルエーテル）、フッ化ビニリデン、およびフッ化ビニルのポリマーまたはコポリマーならびにこれらのブレンドと前記ポリマーおよび非フルオロポリマーのブレンドから選択されることを特徴とする１．に記載のパネル。
１５．  前記フルオロポリマーがポリフッ化ビニル、エチレン／テトラフルオロエチレンコポリマー、テトラフルオロエチレン／ペルフルオロ（プロピルビニルエーテル）コポリマーから選択されることを特徴とする１．に記載のパネル。
１６．  建築用パネルの表面をなす装飾的シートであって、
ａ．第１の色を有する予め形成されたフルオロポリマーフィルム着色ベース層、
ｂ．前記ベース層に接着され第２の色を有し装飾的斑点パターンを形成するフルオロポリマーの少なくとも１種の不連続着色トップ層、
を含むことを特徴とする装飾的シート。
１７．  斑点パターンがテキスチャのある表面を形成することを特徴とする１６．に記載の装飾的シート。
１８．  斑点パターンがスリップしにくい表面を形成することを特徴とする１６．に記載の装飾的シート。
１９．  シートの全厚さが０．５ミル（１３μｍ）から１２ミル（３０５μｍ）であることを特徴とする１６．に記載の装飾的シート。
２０．  建築用パネルの表面をなす装飾的シートであって、
ａ．予め形成されたフルオロポリマーフィルムベース層、および
ｂ．装飾的でテキスチャのある表面を形成するフルオロポリマーの少なくとも１種の不連続トップ層、
を含むことを特徴とする装飾的シート。
２１．  前記不連続トップ層がフルオロポリマーフィルムのフレークからなることを特徴とする１６．に記載の装飾的シート。
２２．  建築用パネルの表面をなす装飾的シート製造プロセスであって、
ａ．第１の色を有するフルオロポリマーフィルム連続着色ベース層を形成すること、
ｂ．前記ベース層に第２の色を有するフルオロポリマーフィルムの少なくとも１種の不連続着色トップ層を付けること、および
ｃ．前記トップ層に熱および圧力を加えて前記トップ層を前記ベース層に融着させて斑点パターンを有する装飾的シートを形成すること、
を含むことを特徴とするプロセス。
２３．  前記不連続トップ層がフレークの形態であることを特徴とする２２．に記載のプロセス。
２４．  前記不連続トップ層を付ける前記ステップｂならびに熱および圧力を加えて前記トップ層を前記ベース層に融着させる前記ステップｃから結果としてテキスチャのある表面を有する装飾的シートが得られることを特徴とする２２．に記載のプロセス。
２５．  建築用パネル製造プロセスであって、
ａ．フルオロポリマーフィルム連続ベース層を形成すること、
ｂ．前記ベース層にフルオロポリマーの少なくとも１種の不連続トップ層を付けること、
ｃ．前記トップ層に熱および圧力を加えて前記トップ層を前記ベース層に融着させること、および
ｄ．前記融着させた不連続トップ層を有する前記ベース層を基材に接着して装飾的でテキスチャのある建築用パネルを形成すること、
を含むことを特徴とするプロセス。
２６．  前記不連続トップ層がフレークの形態であることを特徴とする２５．に記載のプロセス。
２７．  前記フルオロポリマーフィルム連続ベース層が着色されていて第１の色を有し、また前記の不連続トップ層が着色されていて第２の色を有することを特徴とする２５．に記載の建築用パネル製造プロセス。
２８．  建築用パネル製造プロセスであって、
ａ．フルオロポリマーフィルム連続ベース層を形成すること、
ｂ．前記ベース層を基材に接着してラミネート構造体を形成すること、
ｃ．前記ラミネート構造体の前記ベース層にフルオロポリマーの少なくとも１種の不連続トップ層を付けること、および
ｄ．前記トップ層を有する前記ラミネート構造体に熱および圧力を加えて前記トップ層を前記ベース層に融着させてテキスチャのある装飾的建築用パネルを形成すること、
を含むことを特徴とするプロセス。
２９．  前記不連続トップ層がフレークの形態であることを特徴とする２８．に記載のプロセス。